【事件の表示】
　特許第３２８７３１３号「パチンコ機」の請求項１ないし３に係る特許に対する特許異議の申立てについて、次のとおり決定する。
【結　論】
　訂正を認める。
　特許第３２８７３１３号の請求項１ないし３に係る特許を維持する。
【理　由】
１．手続の経緯
　本件特許第３２８７３１３号の請求項１に係る発明についての出願は、平成１０年８月１９日に出願され、平成１４年３月１５日にその発明について特許権の設定登録がなされた後、その特許について、平成１４年１２月４日に田中秀幸及び町田彬より特許異議の申立てがそれぞれなされ、取り消し理由を通知したところ、平成１５年９月２９日に特許権者より特許異議意見書と共に訂正請求書が提出され、それぞれの異議申立人から回答書が提出された。
　
２．訂正請求について
２-1．訂正の内容
　特許権者が求めている訂正の内容は、次のとおりである（下線部分が訂正個所である。）。
（１）訂正事項ａ
　特許明細書における特許請求の範囲の請求項１（本件特許公報１頁下段左欄４〜５行）に記載された「前枠が、片開き自在に設けられており、」を、「前枠が、
本体側緑に
（２）訂正事項ｂ
　特許明細書における特許請求の範囲の請求項１（本件特許公報１頁下段左欄９〜１１行）に記載された「合成樹脂製のものであり、
　さらに、」を、「合成樹脂製のものであり、
　
前枠にランプ窓が設けられており、
（３）訂正事項ｃ
　特許明細書における特許請求の範囲の請求項１（本件特許公報１頁下段左欄１２行）に記載された「沿うように形成されていること」を、
　「沿うように形成されている
とともに、
ランプ基板の後面周囲が、基板用リブ全体に当接している
（４）訂正事項ｄ
　特許明細書における特許請求の範囲の請求項２の記載を、
　「基板用リブに隣接して、ランプ基板を係止可能な係止爪が
ガラス枠から
（５）訂正事項ｅ
　特許明細書における特許請求の範囲の請求項３の記載を、
　「ガラス枠
の
が
設けられている
（６）訂正事項ｆ
　特許明細書の段落【０００７】の記載を、
　「【課題を解決するための手段】
　本発明のうち、請求項１に記載の発明は、前面に遊技領域が設けられているとともに、その遊技領域前方に位置するように、ガラス板を支持する平板状のガラス枠を後面に備えた前枠が、
本体側緑に
前枠にランプ窓が設けられており、
とともに、ランプ基板の後面周囲が、基板用リブ全体に当接している
（７）訂正事項ｇ
　特許明細書の段落【０００８】の記載を、
　「また、請求項２に記載の発明は、請求項１に記載の発明において、
基板用リブに隣接して、ランプ基板を係止可能な係止爪が
ガラス枠から
の
が
設けられている
２-2．訂正の適否
（１）訂正事項ａについて
　上記訂正事項ａは、前枠が設けられている位置を明確にするものであるから、明りょうでない記載の釈明を目的とするものである。
　そして、「前枠が、本体側緑に片開き自在に設けられて」いることについては、特許明細書の段落【０００９】及び図１に記載されているので、上記訂正事項ａに係る訂正は、願書に添付した明細書または図面に記載した事項の範囲内でする訂正であって、かつ、実質上特許請求の範囲を拡張しまたは変更するものでもない。
（２）訂正事項ｂについて
　上記訂正事項ｂは、特許請求の範囲の請求項１の記載において、前枠にランプ窓が設けられているものに限定するものであるから、特許請求の範囲の減縮を目的とするものである。
　そして「前枠にランプ窓が設けられて」いることについては、特許明細書の段落【００１０】及び図３に記載されているので、上記訂正事項ｂに係る訂正は、願書に添付した明細書または図面に記載した事項の範囲内でするものであって、かつ、実質上特許請求の範囲を拡張しまたは変更するものでもない。
（３）訂正事項ｃについて
　上記訂正事項ｃは、特許請求の範囲の請求項１の記載において、ランプ基板の後面周囲が、基板用リブ全体に当接しているものに限定するものであるから、特許請求の範囲の減縮を目的とするものである。
　そして「ランプ基板の後面周囲が、基板用リブ全体に当接している」ことについては、特許明細書の段落【００１７】及び図７等に記載されているので、上記訂正事項ｃに係る訂正は、願書に添付した明細書または図面に記載した事項の範囲内でするものであって、かつ、実質上特許請求の範囲を拡張しまたは変更するものでもない。
（４）訂正事項ｄについて
　上記訂正事項ｄは、係止爪が複数突設されている位置を明確にするものであるから、明りょうでない記載の釈明を目的とするものである。
　そして「係止爪がガラス枠から複数突設されている」ことについては、特許明細書の段落【００１３】及び図７に記載されているので、上記訂正事項ｄに係る訂正は、願書に添付した明細書または図面に記載した事項の範囲内でするものであって、かつ、実質上特許請求の範囲を拡張しまたは変更するものでもない。
（５）訂正事項ｅについて
　上記訂正事項ｅは、レールリブが一体的に設けられている位置を明確にするものであるから、明りょうでない記載の釈明を目的とするものである。
　そして「ガラス枠の裏面の端縁に、ガラス板を支持可能なレールリブが一体的に設けられていること」については、特許明細書の段落【００１５】及び図２に記載されているので、上記訂正事項ｅに係る訂正は、願書に添付した明細書または図面に記載した事項の範囲内でするものであって、かつ、実質上特許請求の範囲を拡張しまたは変更するものでもない。
（６）訂正事項ｆ及びｇについて
　上記訂正事項ｆ及びｇは、発明の詳細な説明の記載を訂正後の特許請求の範囲の記載と整合させるためのものであるから、訂正事項ｆ及びｇは、明りょうでない記載の釈明を目的とするものであって、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法第１２０条の４第２項及び同条第３項において準用する特許法第１２６条第２項から第４項までの規定に適合するので、当該訂正請求を認める。
　
３．特許異議申立てについて
３-1．特許異議申立ての理由の概要
（１）異議申立人　田中秀幸は、下記の証拠方法を提出し、本件請求項１ないし３に係る特許発明は、甲第１ないし５号証に記載された発明に基づいて、当業者が容易に発明をすることができたものであるから、その特許は、特許法第２９条第２項の規定に違反してされたものであり、特許法第１１３条第２号の規定により取り消されるべきである。
　　　　　　　　　　　　　　　　　記
　甲第１号証：特開平９−５６９０６号公報
　　　　　　　（以下、「刊行物１」という。）
　甲第２号証：特開平９−７５５２４号公報
　　　　　　　（以下、「刊行物２」という。）
　甲第３号証：特開平９−１３１４２８号公報
　　　　　　　（以下、「刊行物３」という。）
　甲第４号証：特開平９−２２０３１６号公報
　　　　　　　（以下、「刊行物４」という。）
　甲第５号証：特開平１０−９４６５５号公報
　　　　　　　（以下、「刊行物５」という。）
　
（２）異議申立人　町田彬は、下記の証拠方法を提出し、本件請求項１ないし３に係る特許発明は、次の理由により特許法第１１３条第２号又は第３号の規定により取り消すべきものである。
（ｉ）本件請求項１ないし３に係る特許発明は、甲第１号証（または甲第２号証）に甲第３号証、甲第４号証又は周知技術を適用することにより、当業者が容易に発明をすることができたものであるから、その特許は、特許法第２９条第２項の規定に違反してされたものである。
（ii）本件請求項１ないし３に係る特許発明は、特許法第３６条第６項第２号の規定を満たしていない出願に対してされたものである。
　　　　　　　　　　　　　　　　　記
　甲第１号証：特開平１０−９４６５１号公報
　　　　　　　（以下、「刊行物６」という。）
　甲第２号証：特開平１０−９４６５０号公報
　　　　　　　（以下、「刊行物７」という。）
　甲第３号証：特開平８−１６８５５２号公報
　　　　　　　（以下、「刊行物８」という。）
　甲第４号証：特開昭６１−１９１３７７号公報
　　　　　　　（以下、「刊行物９」という。）
　甲第５号証：実願平３−４３１６２号（実開平４−１３６２７１号）の
　　　　　　　　マイクロフイルム（以下、「刊行物１０」という。）
　甲第６号証：実願昭６０−７００７６号（実開昭６１−１８５４８５号）　　　　　　　　のマイクロフイルム（以下、「刊行物１１」という。）
　甲第７号証：実願昭６０−６１９１６（実開昭６１−１８００８３号）の
　　　　　　　　マイクロフイルム（以下、「刊行物１２」という。）
　甲第８号証：特公平１−１３３９１号公報
　　　　　　　（以下、「刊行物１３」という。）
　
３-2．本件発明
　上記「２．訂正請求について」で示したように上記訂正が認められるから、本件の請求項１ないし３に係る発明（以下、「本件請求項１の発明」・・・「本件請求項３の発明」という）は、訂正後の特許明細書の特許請求の範囲の請求項１ないし３に記載された次の事項により特定されるものである。
　「【請求項１】前面に遊技領域が設けられているとともに、その遊技領域前方に位置するように、ガラス板を支持する平板状のガラス枠を後面に備えた前枠が、本体側緑に片開き自在に設けられており、さらに、前枠の前面に、ランプにより点灯可能なランプ飾りを有するパチンコ機であって、
　ガラス枠が、前面に、ランプを載置したランプ基板を支持可能な基板用リブを、一体的に備えた合成樹脂製のものであり、
　前枠にランプ窓が設けられており、
　さらに、基板用リブの少なくとも一部が、ランプ基板の周囲形状に沿うように形成されているとともに、
　ランプ基板の後面周囲が、基板用リブ全体に当接していることを特徴とするパチンコ機。
【請求項２】基板用リブに隣接して、ランプ基板を係止可能な係止爪がガラス枠から複数突設されていることを特徴とする請求項１に記載のパチンコ機。
【請求項３】ガラス枠の裏面の端縁に、ガラス板を支持可能なレールリブが一体的に設けられていることを特徴とする請求項１または請求項２にパチンコ機。」
　
３-3．特許法第２９条第２項違反について
３-3-1．刊行物（甲号各証）に記載された発明
（１）刊行物１（特開平９−５６９０６号公報）には、次の記載が認められる。
（１-a）「弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられ且つ遊技盤５の前方を覆う透明板（一般的にガラス板が多いが、透明な合成樹脂でも良い）としてのセットガラス板６を保持する透明板保持枠４と、・・・から構成されている。」（３頁左欄１５〜３１行）、
（１-b）「複数の干渉回避凹部７０，７１，７２のうち、上部に形成される干渉回避凹部７０は、透明板保持枠４を閉じたときに透明板保持枠４の上部に設けられるＬＥＤ基板３２４のＬＥＤ及びランプ基板３２６のランプが収納される取付凹部２８３との当接状態を回避するためのものであり、」（６頁右欄８〜１３行）、
（１-c）「透明板保持枠４は、前記遊技盤５の遊技領域を透視し得るセットガラス板６を装着し得るものであると共に、本実施形態においては、特に装飾効果及び強度を高め得るように構成されたものである。しかして、本実施形態における透明板保持枠４は、主枠構成部材２８０と、該主枠構成部材２８０の前面側に装着されて遊技状態等に応じて照明装飾する各種の照明装飾部材と、主枠構成部材２８０の前面側に装着される各補強枠部材３３８，３４５と、を備えている。」（１２頁右欄３３〜４１行）、
（１-d）「主枠構成部材２８０は、図２２及び図２１に示すように、ほぼ正方形状の合成樹脂板からなり、その中央部には遊技盤５の遊技領域の外周形状に沿った円形状の開口２８２が形成されている。・・・主枠構成部材２８０の前面側の上辺部には、照明装飾部材としてのＬＥＤ基板３２４、ＬＥＤカバー３２５、ランプ基板３２６、及びランプカバー３２９の組付け位置を一義的に決める取付凹部２８３が刻設されている。これにより、ＬＥＤ基板３２４、ＬＥＤカバー３２５、ランプ基板３２６、及びランプカバー３２９の組付けの容易化を図ることができる。」（１３頁左欄８〜２１行）、
（１-e）「主枠構成部材２８０の裏面には、図２に示すように、斜め対角線状に複数（４つ）の金属製のガラス取付支持部材３０３が成形時に一体的に設けられている。ガラス取付支持部材３０３は、その先端部に係合溝３０３ａ（図２６参照）が周設されている。このように設けられるガラス取付支持部材３０３に対して、開口２８２よりも若干大きな直径で形成されるガラス収納部材３０４に２枚のガラス板３０５を前後面より貼り合わせて構成したセットガラス板６が装着されるものである」（１３頁右欄４３行〜１４頁左欄１行）、
（１-f）「ＬＥＤ基板３２４及びランプ基板３２６は、それぞれ前記取付凹部２８３に上下２段にて主枠構成部材２８０の前方からビス止め固定され、ＬＥＤ及びランプの各カバー３２５，３２９は、それぞれ両端部に形成された係合爪３２５ａ，３２９ａが取付凹部２８３側の係止穴（図示しない）に係止されるようになっている。」（１５頁右欄１８〜２３行）。
（２）刊行物２（特開平９−７５５２４号公報）には、次の記載が認められる。
（２-a）「このパチンコ機は、図３に示すように、前面に遊技領域が形成された遊技盤１０が、遊技盤収納枠１１を介して機枠１２に対して開閉自在に取付けられている。・・・これら遊技盤１０・・・の前面を覆うように、ガラス枠１３・・・が前面側に配置され、・・・機枠１２に対して開閉自在に取付けられている。なおこのパチンコ機は、遊技盤１０、遊技盤収納枠１１、機枠１２、ガラス枠１３・・・等を構成する主な構成部材が、全て合成樹脂により形成されている。ガラス枠１３は、ほぼ中央に開口部１３ａが形成され、開口部１３ａを通して遊技盤１０における遊技領域が見えるようになっている。このガラス枠１３の前面には、遊技領域を囲むように、上部ランプカバー１５ａ，１５ｂ，１５ｃ、開口縁部ランプカバー１６、及びサイドランプカバー１７ａ，１７ｂが設けられ、これらカバー内には装飾ランプ（図示省略）が内蔵されている。」（３頁右欄３６行〜４頁左欄３行）、
（２-b）「ガラス枠１３は、・・・本体枠５０の裏面内にガラスユニット１００を取付けてなるものである。本体枠５０は、外径が矩形の樹脂製枠体で、開口部１３ａに相当する開口が中央部に形成され、前面における各ランプカバー１５ａ，１５ｂ，１５ｃ，１６，１７ａ，１７ｂの裏側の位置には、各ランプカバーに平面形状が対応し前面に開口する装飾体収納凹室がそれぞれ形成されており、これら装飾体収納凹室内に装飾ランプを搭載したランプ基板（図示略）がそれぞれ収納され、各ランプ基板を覆うように各ランプカバーが取付けられている。」（４頁左欄４７行〜同頁右欄８行）、
（２-c）「蓋部材３６０の裏面における右下の位置には、保持部３６７，係止爪３６８及び取付けボス３６９が形成され、この位置に中継基板３９０が取付けられるようになっている。ここで、保持部３６７は、４箇所に設けられて中継基板３９０の４隅に当接するものであり、係止爪３６８は、中継基板３９０の下縁に係合するものである。すなわち、中継基板３９０は、四隅を保持部３６７に当接させるようにはめ込み、下縁を係止爪３６８に係合させて保持した後、上縁の貫通孔に挿通したネジ（図示略）を取付けボス３６９に捩じ込むことにより、蓋部材３６０に安定的に取付けられる。」（９頁左欄４７行〜同頁右欄７行）。
（３）刊行物３（特開平９−１３１４２８号公報）には、次の記載が認められる。
（３-a）「このパチンコ機は、・・・前面枠１１が機枠１２に対して開閉自在に取付けられ、遊技領域が形成された遊技盤（図示略）は、この前面枠１１の上側中央部に取付けられている。また、この前面枠１１には、その前面上側を覆うようにガラス枠１３（前面開閉枠）が開閉自在に取付けられ、このガラス枠１３により保持されるガラス１４（クリア部材）を介して前面枠１１に取付けられた遊技盤前面の遊技領域が視認可能となっている。」（３頁右欄３２〜４０行）、
（３-b）「補強枠６０は、金属製の部材であり、・・・前面側枠板部６１と裏面側枠板部６２とを有する２重構造とされ、正面から見た外形形状が全体としてガラス枠本体５０と同じ６角形とされたものである。この補強枠６０は、両側面を覆う側板部６３，６４と、また底面を覆う底板部６５とを有し、前面側枠板部６１と裏面側枠板部６２の内側は、外周において上面側のみで開口しており、この上面の開口から６角形状のガラス板１４が２枚挿入され、保持される構成となっている。」（５頁左欄２９〜３８行）、
（３-c）「前面開閉枠レンズ部材４１は、図３に示すようにガラス枠本体５０の上辺部左半分と、左側の側辺部とにわたって取付けられる左側レンズ部材８１と、ガラス枠本体５０の上辺部右半分と、右側の側辺部とにわたって取付けられる右側レンズ部材８２とよりなる。」（５頁右欄１２〜１６行）、
（３-d）「前面開閉枠レンズ部材４１の内側に配設された各基板９２，９７，１０３，１０７等のＬＥＤ９１，９６，１０２，１０６等は、前面開閉枠レンズ部材４１の長手方向に沿ってガラス枠１３の上辺部と両側辺部を囲むように連続的に（この場合一連状態に）配設されている。」（６頁左欄３８〜４３行）。
（４）刊行物４（特開平９−２２０３１６号公報）には、次の記載が認められる。
（４-a）「【０００９】パチンコ機２は、前面枠１１がこの前面枠１１の裏面側に配された機枠（図示省略）に対して開閉自在に取付けられ、遊技領域が形成された遊技盤１０（図５に示す）は、この前面枠１１の上側中央部に取付けられている。また、この前面枠１１には、その前面上側を覆うようにガラス枠１３（開閉枠）が開閉自在に取付けられ、このガラス枠１３により保持されるガラス１４（クリア部材）を介して前面枠１１に取付けられた遊技盤前面の遊技領域が視認可能となっている。」（３頁左欄１４〜２２行）、
（４-b）「金属面３０の左右側辺部には、開口部１３ａの両側外周の近傍に沿った状態で細長のレンズ部材（例えば図２及び図３に示すレンズ部材４２）が取付けられ、このレンズ部材の内側に複数のＬＥＤ（例えば図３に示すＬＥＤ４３）が連続状態に配設されることにより、ガラス枠ランプ３４，３５が形成されている。」（４頁右欄３〜９行）、
（４-c）「ガラス枠１３は、この場合図４に示すように、本体枠５０の裏面内にガラス保持枠１００を取付けてなるものである。本体枠５０は、金属製の枠体で、開口部１３ａに相当する開口が中央部に形成され、前面に前述の金属面３０が形成されたものである。この本体枠５０の外周縁５０ａと内周縁５０ｂは、裏面側に折返されたような形状とされており、この裏面側の空間（これら外周縁５０ａと内周縁５０ｂの間の空間）には、前述の補給ランプ３２、玉排出ランプ３３、或いはガラス枠ランプ３４，３５を構成するＬＥＤ（例えば、ＬＥＤ４１，４３）をそれぞれ搭載した基板（例えば、図４に示す基板５１，５２）がネジ止め等により取付けられるようになっている。」（４頁右欄３５〜４７行）、
「ガラス保持枠１００は、図４に示すように、２枚のガラス板１４を保持する縁枠１１０と、この縁枠１１０の裏面に設けられた枠板１２０とよりなる。なお、このガラス保持枠１００は、樹脂の一体成形により構成されていてもよい」（５頁右欄３〜７行）。
（５）刊行物５（特開平１０−９４６５５号公報）には、次の記載が認められる。
（５-a）「本パチンコ機１００のガラス枠２００は、・・・合成樹脂製の枠部材２０１を主要構成部材とするものである。この枠部材２０１は、後述する種々の部品類を装着あるいは配置するための凹凸形状を有している。」（３頁右欄４１〜４７行）、
（５-b）「枠部材２０１の上記各装飾部材２０２ａ，２０２ｂ，２０２ｃの内側には、図４に示すように、複数個のランプをそれぞれ備えたランプ基板２０６ａ，２０６ｃ，２０６ｅが装着されている。」（４頁左欄２２〜２５行）、
（５-c）「図６に示すように、補強板２２０の中央開口部２２０ｂの周辺の上方を除く三方において、ガラス支持枠２２２ａ，２２２ｂ，２２２ｃが当該補強板２２０にビス着されている。これらのガラス支持枠２２２ａ，２２２ｂ，２２２ｃには、上記中央開口部２２０ｂを塞ぐガラス板２５０を収納および支持するためのガラス支持溝が２列並んで一体的に成形されている。」（５頁左欄９〜１５行）。
（６）刊行物６（特開平１０−９４６５１号公報）及び刊行物７（特開平１０−９４６５０号公報）には、上記刊行物５と同様の記載が認められる。
（７）刊行物８（特開平８−１６８５５２号公報）には、次の記載が認められる。
（７-a）「遊技盤５は、・・・遊技領域を形成した遊技領域部材１２と、該遊技領域部材１２の周囲を囲う装飾領域部材１３，１４とを別個に成形し、遊技領域部材１２に装飾領域部材１３，１４を止着して一体化することにより一枚の遊技盤を構成している。なお、本実施例では、遊技領域部材１２を木材により形成し、装飾領域部材１３，１４を合成樹脂により形成している。」（３頁右欄４８行〜４頁左欄６行）、
（７-b）「装飾ランプ取付部５０は、断面略コ字状の一対の囲い壁５３を、左右あるいは上下に対向させて設けた部材で、それぞれの側壁の対向内側には、装飾ランプ基板５２の背面を支持する装飾ランプ支持部５４を設けてあり、一側の側壁には、この装飾ランプ支持部５４の前面側に、装飾ランプ基板５２の厚さ分だけ距離を隔てて、対向する他側の側壁に向かう支持突起５５を突設してある。一方、対向する他側の側壁には、後方装飾領域部材１４の前面側に向かって係止突起５６が立設してある。この係止突起５６は、合成樹脂製の後方装飾領域部材１４と一体に形成してあるため可撓牲を有しており、先端は、装飾ランプ基板５２の表面側に係止する鉤状となっている。」（５頁左欄１９〜３１行）。
（８）刊行物９（特開昭６１−１９１３７７号公報）には、「ガラス枠１は合成樹脂の一体成形品であり、上方から挿入された前面ガラス４を保持するための２列の突起５ａ，５ｂが設けられている。」（２頁右上欄１０〜１３行）と記載されている。
（９）刊行物１０（実願平３−４３１６２号（実開平４−１３６２７１号）のマイクロフイルム）には、「照明調和部１１を説明すれば、前記遊技盤３の遊技領域４を囲設する額縁状の枠組１２を形成し、該枠組１２の前面部と背面部間に後述する照明具Ａを内設する適宜空間を有した箱体となし、同前面部と背面部の内部に透視ガラス１４を挿入する挿入溝１３を周設し、透視ガラス１４を嵌挿する。枠組１２の上部内壁部と両側面に照明取付部を形成し、照明具Ａを白色灯で装着し」（７頁２４〜２８行）と記載されている。
（１０）刊行物１１（実願昭６０−７００７６号（実開昭６１−１８５４８５号）のマイクロフイルム）には、次の記載が認められる。
（１０-a）「図中の１はパチンコ機の機枠体で、２は・・・開閉自由に蝶着される扉枠、３はこの扉枠の開口部４の一側に設ける蝶番５を介して開閉自由に取付けられるガラス装着枠であり、６はこのガラス装着枠の下に同じく開閉自由に蝶着される前枠板である。」（５頁３〜８行）、
（１０-b）「ガラス装着枠３は・・・中央に窓１６を開設する前面板３ａと内外２枚のガラス板１７，１８とこの２枚のガラス板を前後に隔てる飾り枠１９から構成され、上記前面板３ａは略正方形状にして前傾姿勢に傾け各辺から後方に板枠３ｂをそれぞれ延設して筺形をなすよう形成してある。」（６頁９〜１５行）、
（１０-c）「２４は窓１６を囲む前面板３ａに多数配列した表示用のランプである。」（７頁１６〜１７行）。
（１１）刊行物１２（実願昭６０−６１９１６（実開昭６１−１８００８３号）のマイクロフイルム）には、上記刊行物１１と同様の記載が認められる。
（１２）刊行物１３（特公平１−１３３９１号公報）には、次の記載が認められる。
（１２-a）「パチンコ機１の前面枠の窓部には、・・・遊技盤が後方から臨むとともに、遊技部６の前面には、金枠部材７が装着され、一側部を開閉支点として開閉可能に設けられたガラス収納枠８が位置している。」（２頁左欄８〜１５行）、
（１２-b）「ランプ基板１８と取付部１０とはビス１９によって予め一体化され、これが第５図に示すように開閉可能なガラス収納枠８前面にリベット２２で取り付いている（第２図）。」（２頁左欄３７〜４０行）。
　
３-3-2．対比・判断
（１）本件請求項１の発明について
　本件請求項１の発明と刊行物１ないし１３記載の発明とを対比すると、刊行物１ないし１３には、本件発明の構成要件である、前枠の後面に備えられた「ガラス枠が、前面に、ランプを載置したランプ基板を支持可能な基板用リブを、一体的に備えた合成樹脂製のものであり、前枠にランプ窓が設け」られた構成を備えていない。
　すなわち、刊行物１記載の発明では、「主枠構成部材２８０」の取付凹部２８３にランプ基板３２６が取り付けられており、刊行物２記載の発明では、「本体枠５０」にランプ基板が取り付けられており、刊行物３記載の発明では、「ガラス枠本体５０」にＬＥＤ９１等の基板９２等が取り付けられており、刊行物４記載の発明では、「本体枠５０」の裏面側の空間にＬＥＤ４１，４３をそれぞれ搭載した基板５１，５２が取り付けられているが、刊行物１記載の発明の「主枠構成部材２８０」、刊行物２、４記載の発明の「本体枠５０」及び刊行物３記載の発明の「ガラス枠本体５０」は、本件請求項１の発明の「前枠」に相当するものであるから、刊行物１ないし４記載の発明は上記構成を備えていない。
　また、刊行物５ないし７記載の発明では、「枠部材２０１」に複数個のランプをそれぞれ備えたランプ基板２０６ａ，２０６ｃ，２０６ｅが装着されているが、この「枠部材２０１」は、本件請求項１の発明の「前枠」に相当するものであるから、刊行物５ないし７記載の発明は上記構成を備えていない。
　さらに、刊行物１０記載のものは、透視ガラス１４を取り付けた枠組１２の上部内壁部と両側面に照明具Ａが取り付けられており、刊行物１１又は１２記載のものは、ガラス装着枠３の前面板３ａにランプ２４が配列されており、刊行物１３記載のものは、ガラス収納枠８にランプ基板１８が設けられているが、刊行物１０〜１３記載のものは、本件請求項１の発明の「前枠」に相当する構成を有しておらず、よって、「前枠にランプ窓が設け」られた構成を備えていない。
　そして、本件請求項１の発明は特許明細書に記載された効果を奏するものであるから、本件請求項１の発明が、引用刊行物１〜１３に記載された発明に基づいて当業者が容易に発明をすることができたものとすることはできない。
（２）本件請求項２及び３の発明について
　本件請求項２及び３の発明は、本件請求項１の発明を引用し、本件請求項１の発明を更に減縮したものであるから、上記「（１）本件請求項１の発明について」に記載した理由により当業者が容易に発明をすることができたものとすることはできない。
　
３-4．特許法第３６条第２項違反について
　異議申立人は、特許査定時の特許明細書の記載は、具体的には次の点で特許法第３６条第４号の規定を満たしていないと主張する。
（Ａ）本件請求項１に係る発明の「前面に遊技領域が設けられているとともに、その遊技領域前方に位置するように、ガラス板を支持する平板状のガラス枠を後面に備えた前枠が、片開き自在に設けられており、さらに、前枠の前面に、ランプにより点灯可能なランプ飾りを有するパチンコ機であって」の記載において、「ガラス板を支持する平板状のガラス枠を後面に備えた前枠が、片開き自在に設けられており」という表現は不明瞭な表現であり、前枠が何に対して片開きするのかが不明確である。
（Ｂ）本件請求項２に係る発明の「基板用リブに隣接して、ランプ基板を係止可能な係止爪が複数突設されていることを特徴とする」の記載において、「基板用リブに隣接して、ランプ基板を係止可能な係止爪が複数突設されている」という表現は不明瞭な表現であり、係止爪がどこに設けられているのかが不明確である。
（Ｃ）本件請求項３に係る発明の「ガラス枠が、裏面の端縁に、ガラス板を支持可能なし一ルリブを一体的に備えたものであることを特徴とする」の記載において、「ガラス枠が、裏面の端縁に、ガラス板を支持可能なレールリブを一体的に備えた」という表現は不明瞭な表現であり、レールリブがどこに設けられているのかが不明確である。
　しかしながら、異議申立人が指摘する上記不備は上記訂正請求により特許明細書は訂正され解消された。
　
３-5．むすび　
　以上のとおりであるから、特許異議の申立ての理由によっては本件請求項１ないし３に係る発明についての特許を取り消すことはできない。
　また、他に本件請求項１ないし３に係る発明についての特許を取り消すべき理由を発見しない。
　よって、結論のとおり決定する。
【異議決定日】
平成１６年７月２２日（２００４．７．２２）
【訂正の要旨】
審決（決定）の【理由】欄参照。
（５４）【発明の名称】
パチンコ機
（５７）【特許請求の範囲】
　【請求項１】　前面に遊技領域が設けられているとともに、その遊技領域前方に位置するように、ガラス板を支持する平板状のガラス枠を後面に備えた前枠が、
本体側縁に
　ガラス枠が、前面に、ランプを載置したランプ基板を支持可能な基板用リブを、一体的に備えた合成樹脂製のものであり、
　
前枠にランプ窓が設けられており、
　さらに、基板用リブの少なくとも一部が、ランプ基板の周囲形状に沿うように形成されている
とともに、
　
ランプ基板の後面周囲が、基板用リブ全体に当接している
　【請求項２】　基板用リブに隣接して、ランプ基板を係止可能な係止爪が
ガラス枠から
　【請求項３】　ガラス枠
の
が
設けられている
【発明の詳細な説明】
　【０００１】
　【発明の属する技術分野】
　本発明は、パチンコ機に関し、さらに詳しくは、遊技球が流下する遊技領域を覆う前枠に関する。
　【０００２】
　【従来の技術】
　図１０に示す従来のパチンコ機８１は、上半部に、遊技球が流下する遊技領域８２を備えており、遊技領域８２前方は、ガラス板８３を備えた前枠８４によって覆われている。前枠８４は、図１１に示すように、ランプ飾り８５、装飾体８６、前方枠８７、後方枠８８、下方装飾体８９を組み合わせて形成されている。ランプ飾り８５には、ランプ９１，９１・・を搭載したランプ基板９２，９２・・が取り付けられている。また、ランプ９１，９１・・は、前方枠８７および後方枠８８に挿通された電線を介して、パチンコ機内部の制御装置（図示せず）に接続されている。さらに、後方枠８８は、金属板であって、中央に凹部を落とし込み形成されており、その凹部に、ガラス板８３が嵌め込まれている。
　【０００３】
　【発明が解決しようとする課題】
　上記従来のパチンコ機８１では、ガラス板９３を嵌め込んだ後方枠８８が、凹部を落とし込み形成した金属板であるため、強度に優れるものの、形成に手間がかかり、重量がかさむ、という欠点がある。そこで、後方枠を合成樹脂板で成形する試みがなされているが、この場合、ガラス板９３を支持するための強度が十分でなくなってしまう。
　【０００４】
　また、上記従来のパチンコ機８１では、幅の狭いランプ飾り８５に、ランプ基板９２，９２・・が取り付けられているため、各ランプ基板８２を安定させるために工夫が必要となる。
　【０００５】
　よって、本発明のうち、請求項１に記載の発明の課題は、簡易な構成にてランプ基板を安定して取り付けることができ、かつ、周囲の強度が十分なパチンコ機を提供することにある。
　【０００６】
　また、請求項２に記載の発明の課題は、請求項１に記載の発明の課題にくわえて、ランプ基板がより取り扱いやすいパチンコ機を提供することにある。さらに、請求項３に記載の発明の課題は、請求項１，２に記載の発明の課題にくわえて、簡易で取り扱いやすい構成としながら強度が十分なガラス枠を備えたパチンコ機を提供することにある。
　【０００７】
　【課題を解決するための手段】
　本発明のうち、請求項１に記載の発明は、前面に遊技領域が設けられているとともに、その遊技領域前方に位置するように、ガラス板を支持する平板状のガラス枠を後面に備えた前枠が、
本体側縁に
前枠にランプ窓が設けられており、
とともに、ランプ基板の後面周囲が、基板用リブ全体に当接している
　【０００８】
　また、請求項２に記載の発明は、請求項１に記載の発明において、基板用リブに隣接して、ランプ基板を係止可能な係止爪が
ガラス枠から
の
が
設けられている
　【０００９】
　【発明の実施の形態】
　以下、本発明の実施形態につき、図面に基づいて説明する。図１は、パチンコ機の内部機構を一部省略した正面図であって、パチンコ機１外周には、外枠２が設けられている。また、外枠２の左上コーナー部には、連結部４が突設されており、左下コーナー部には、本体枠連結金具５が取り付けられている。さらに、連結部４と本体枠連結金具５とにおいて、前面にほぼ円形の遊技領域を有する遊技板（図示せず）などの内部機構（図示せず）を支持する、ミドル枠１１が枢着されている。またさらに、ミドル枠１１の前面には、外枠２とほぼ同形の、薄板３が固定されている。くわえて、薄板３の左側ほぼ中央には、連結金具６が固定されている。そして、連結部４と連結金具６とに、前枠７が枢着されている。なお、薄板３の左側縁下部には、中扉連結金具１０が固定されており、中扉連結金具１０と連結金具６とにおいて、供給皿１２を備えた中扉８が枢着されている。また、中扉８の下部を囲った状態で、貯留皿１３を備えた下側機能部９が、薄板３に固定されている。さらに、ミドル枠１１の後側には、機構板（図示せず）が固定されている。
　【００１０】
　図２から図３は、前枠７の説明図であって、前枠７は、大別して、窓枠１５とガラス枠１６とからなる。窓枠１５は、遊技領域大の開口部を有する窓枠本体２４と、その開口部に周設されるランプ飾り１７とからなり、開口部が丁度遊技領域前方に位置するように枢着されている。窓枠本体２４前面の開口部の外側には、周囲部２０が前方へ突設されており、周囲部２０の内側に、ランプ飾り１７を備えている。さらに、周囲部２０内側の両側部には、ランプ窓２１，２１・・が５つずつ設けられている。また、ランプ窓２１の近傍には、爪用孔２２，２２が、それぞれ上下に設けられている。またさらに、周囲部２０のすぐ内側の両側部上下には、窓枠貫通孔２３，２３・・が設けられている。
　【００１１】
　くわえて、窓枠本体２４の上部中央には、上ランプ（図示せず）により点灯可能な上ランプ飾り２５が設けられており、上ランプ飾り２５の両側には、スピーカー２６が取り付けられている。また、窓枠本体２４の左側縁の上下には、半円錐状の膨出部２７，２７・・が形成されている。さらに、窓枠本体２４後側上辺縁中央には、水平姿勢から鉛直姿勢まで回動可能な回動部材５０が設けられている。またさらに、窓枠本体２４後面の両側縁には、窓枠１５と同厚の窓枠側リブ２９ａ，２９ｂが、上下方向を向けてほぼ窓枠１５の一辺全体に亘って配置され、肉厚の１０倍程度突出されている。なお、窓枠本体２４は、カウンタープレッシャー成形法により、約１．０５の発泡倍率を有する低発泡樹脂によって厚さ３ｍｍ程度に形成されている。
　【００１２】
　また、ランプ飾り１７は、前面の中心に段部を有し、段部へと盛り上がった断面山状に形成されており、両側部であって段部内側には、半透明の透光窓１８，１８が形成されている。さらに、ランプ飾り１７の後側であって、両側部上下には、断面が窓枠貫通孔２３の胴部と同形の挿通片１９，１９・・が突設されている。また、各挿通片１９の先端は、矢尻形状の爪３９が突設されている。なお、ランプ飾り１７は、インモールド成形法により、透光窓１８，１８以外において金属光沢を呈するように成形されている。
　【００１３】
　一方、図４から図７に示すように、ガラス枠１６は、窓枠１５と同寸の開口部を有する、窓枠１５より若干小さい合成樹脂製の枠であって、窓枠本体２４より若干薄い２ｍｍ程度の肉厚とされており、上辺中央部には、係止片３０が突設されている。また、ガラス枠１５の側翼部３２ａ，３２ｂは、外方へ突出されており、側翼部３２ａ，３２ｂから開口部付近に亘って、ランプ孔３１，３１・・が、ランプ窓２１，２１・・に対応するように穿設されている。さらに、それぞれ５つのランプ孔３１，３１・・の内側以外の三方を囲うように、基板用リブ３３，３３が、ガラス枠１６の肉厚の半分程度、前方へ突出しかつ肉厚を持たせた状態で設けられている。またさらに、基板用リブ３３の上下辺部であってコーナー付近には、それぞれ係止孔３８が形成されており、各係止孔３８を通過するように、先端矢尻状の係止爪３５，３５・・が、前方へ突出して設けられている。なお、ガラス枠１６の各コーナー部には、窓枠貫通孔２３とほぼ同形状の挿通片係止孔３４が設けられている。
　【００１４】
　くわえて、各側の係止爪３５，３５には、ＬＥＤランプ３６，３６・・を３つずつ５箇所に分けて載置したランプ基板３７が係止されている（図７）。ランプ基板３７の肉厚は、ガラス枠１６の肉厚と同程度である。また、ランプ基板３７の外周は、内側を開口部に沿わせ、内側以外の三方を、基板用リブ３３の配置と合わせた形状とされている。さらに、各ランプ基板３７の上辺と下辺とのコーナー付近には、切り欠き３８，３８が設けられており、切り欠き３８，３８に係止爪３５，３５が嵌入している。なお、各係止爪３５の矢尻部から基板用リブ３３までの寸法は、ランプ基板３７の肉厚と同程度とされている。また、各ＬＥＤランプ３６は、中央のランプ孔３１を通されて以後を束ねられた電線によって、パチンコ機１内部の制御装置（図示せず）に対して電気的に接続されている。さらに、各ランプ基板３７後面周囲は、基板用リブ３３全体に当接し、ランプ基板３７を支持している。
　【００１５】
　また、ガラス枠１６後面の両側辺部と下辺との全体に亘って、ガラス枠１６と同様な肉厚を有するレールリブ４０，４０・・が、ガラス枠１６の肉厚の１０倍程度後方へ突出した状態で、ガラス枠１６と一体的に設けられている。さらに、各レールリブ４０内面には、レールリブ４０とほぼ同厚の、長手方向へ延びるガラス保持片４１，４１・・が、レールリブ４０の突出寸法の３分の１程度内側へ突出した状態で、一体的に並設されている。中央と後方のガラス保持片４１，４１の間は、ガラス挿入レール４２とされている。また、前方と中央のガラス保持片４１，４１の間には、ガラス保持片４１と同厚の小リブ４３，４３・・が渡されている。なお、両側のレールリブ４０から側翼部３２ａ，３２ｂ後面に亘って、それぞれ側リブ４５ａ，４５ｂが設けられている。側リブ４５ａ，４５ｂは、レールリブ４０と同厚であり、レールリブの突出寸法の４分の３程度突出されている。また、係止爪３５，３５・・は、側リブ４５ａ，４５ｂから突設されている。
　【００１６】
　さらに、ガラス枠１６の各レールリブ４０のガラス挿入レール４２には、ガラス枠１６より若干厚い（３ｍｍ程度）ガラス板４９が、上方から挿入されている（図８）。そして、ガラス枠１６が窓枠側リブ２９ａ，２９ｂの間に嵌入された状態で、ランプ飾り１７の各挿通片１９が、窓枠貫通孔２３と挿通片係止孔３４とに共通して貫通されることによって、窓枠１５にガラス枠１６が組み付けられている。各挿通片係止孔３４後面には、挿通片１９先端の爪３９が係止されている。さらに、ガラス枠１６は、係止片３０が、鉛直姿勢の回動部材５０に当接されることによって支持されている。また、ガラス枠１６組み付け状態では、各ランプ基板３７上のＬＥＤランプ３６，３６・・が、窓枠１５のランプ窓２１，２１・・から突出している（図９）。同様に、ＬＥＤランプ３６の後方に、ランプ孔３１，３１・・が位置している。またさらに、各ランプ基板３７前方に、ランプ飾りの透光窓１８が位置している。くわえて、ガラス枠１６の各係止爪３５が、窓枠１５の対応する爪用孔２２内に位置している。そして、窓枠１５は、膨出部２７，２７・・を介して、パチンコ機１の薄板３に係合されている。なお、上方の膨出部２７と連結部４との間には、前枠７の開閉動作を妨げないスペーサ２８が、窓枠１５に取り付けられている。
　【００１７】
　このようなパチンコ機１では、本体側縁に片開き自在に設けられた窓枠１５後側に取り付けられたガラス枠１６前面に、基板用リブ３３，３３が、部分的に三方を囲んだコ字状に一体的に設けられ、後面に、レールリブ４０，４０・・が、辺縁において三方を囲んだコ字状に一体的に設けられているため、ガラス枠１６に、ねじれや曲げの作用が加わっても、一体基板用リブ３３，３３およびレールリブ４０，４０・・によって抗することができ、ガラス枠が高強度にて形成できる。しかも、各基板用リブ３３全体には、ランプ基板３７後面が当接するので、ランプ基板３７が、設置位置に、反りや曲げを生ずることなく支持されるし、各レールリブ４０には、ガラス保持片４１によって、ガラス挿入レール４２が形成されているので、ガラス板４９を挿入し保持させることができる。ここで、基板用リブ３３によって、基板取り付け部周辺を高強度にでき、ランプ基板３７の支持の安定性をさらに向上している。そして、上記強度向上と部材支持との作用を、共通の部分において発現でき、リブを張り巡らさなくても強度を十分に構成できて、ガラス枠１６の形成が容易となる。
　【００１８】
　さらに、各基板用リブ３３が、ランプ基板３７の外周の一部と同じ形状で配置されているため、反りなどを防止する効果に優れるし、基板の下部を覆った状態となって、基板の電気的接続部を、ほこりや汚れなどから保護することができる。くわえて、各基板用リブ３３に隣接して、ランプ基板３７を係止する係止爪３５，３５が設けられているため、係止爪３５を僅かに変形させるだけで、ランプ基板３７を支持部へ着脱することができ、ランプ基板３７のメンテナンスがしやすいし、ランプ基板３７を後方の基板用リブ３３へ押しつけた状態で係止して安定性を向上できる。なお、ランプ飾り１７は、インモールド成形法によって成形されているため、半透明の透光窓１８と他の部分とを一体成形でき、強度や外観に優れる。また、窓枠本体２４は、低発泡倍率のカウンタープレッシャー成形法によって成形されているため、精度・強度を良好としながら軽量に形成することができる。さらに、各係止爪３５は、爪用孔２２に位置するので、ガラス枠１６を窓枠１５後面に添設することができ、ＬＥＤランプ３６，３６・・を、透光窓１８のすぐ後方に位置させることができる。またさらに、ランプ孔３１，３１・・がＬＥＤランプ３６，３６・・の後方に配置されているため、ＬＥＤランプ３６，３６・・の端子や電線との結合部がガラス枠１６と接触せず保護される。くわえて、各ＬＥＤランプ３６は制御装置と連結されているので、制御装置の信号に応じて点灯可能であり、点灯の様子は半透明の透光窓１８から視認可能である。
　【００１９】
　なお、本発明は、上記実施形態に限定されるものではなく、次に一部示すように様々に変更可能である。窓枠やガラス枠の材質は、一体的に形成されていれば、合成樹脂などに限られないし、合成樹脂であっても、発泡倍率もしくは成形方法は問わない。さらに、ＬＥＤランプや、ランプ窓、ランプ孔の配置や個数は、上記実施形態に限られないし、ＬＥＤランプ以外の蛍光灯などのランプを使用できる。また、基板用リブと係止爪とランプ窓とをガラス枠後面に設けて、ランプ基板をガラス枠後側に取り付けることができる。またさらに、リブの配置も、上記実施形態に限定されることはなく、基板用リブは、一部においてランプ基板を支持するように形成されても良いし、レールリブは、四方に突設されても良い。
　【００２０】
　さらに、ガラス枠は、窓枠後面に添設されるだけでなく、窓枠に対して片開きするように係合されていても良いし、窓枠前面に取り付けられていても良い。ガラス枠を片開き可能とすると、ガラス板が取り出しやすく、しかも、基板用リブやレールリブなどにより、きしんだりせず安定して開閉できる。また、ガラス枠は、ガラス板を１枚保持する必要はなく、したがって、ガラス挿入レールは１つに限られない。くわえて、前枠は、薄板に枢着されている必要はなく、外枠に枢着されていても良い。そして、本発明は、前枠と中扉とが一体となったタイプなどの他のパチンコ機、また、パチンコ機以外の他の遊技機にも適用できる。
　【００２１】
　【発明の効果】
　本発明のうち、請求項１に記載の発明は、ガラス挿入レールを備えたレールリブをパチンコ機の合成樹脂製のガラス枠表面に、ランプ基板外周に沿うように設けたので、ガラス枠を、簡易な構成で強度十分とすることができる。
　【００２２】
　また、請求項２に記載の発明は、請求項１に記載の発明において、支持部に隣接して係止爪を設けたので、ランプ基板を容易に着脱することができる。さらに、請求項３に記載の発明は、請求項１，２に記載の発明において、ガラス挿入レールを備えたレールリブをパチンコ機のガラス枠表面に設けたので、ガラス枠を、簡易な構成で強度十分とすることができる。
【図面の簡単な説明】
　【図１】
　本発明に係るパチンコ機の、内部機構を一部省略した正面を示す説明図である。
　【図２】
　ガラス枠を除いた前枠を示す斜視説明図である。
　【図３】
　前枠の一部の分解説明図である。
　【図４】
　ガラス板を除くガラス枠の（ａ）平面，（ｂ）正面，（ｃ）右側面，（ｄ）底面を示す説明図である。
　【図５】
　ガラス板を除くガラス枠の背面を示す説明図である。
　【図６】
　ガラス枠の（ａ）（ｃ）のＡ−Ａ断面，（ｂ）平面，（ｃ）背面，（ｄ〉左側面（ｅ）（ｃ）のＢ−Ｂ断面を示す説明図である。
　【図７】
　ランプ基板の取り付けの説明図である。
　【図８】
　ガラス板を挿入する場合の説明図である。
　【図９】
　前枠の一部分解説明図である。
　【図１０】
　従来例を示す説明図である。
　【図１１】
　従来の前枠の分解説明図である。
　【符号の説明】
　１・・パチンコ機、２・・外枠、３・・薄板、４・・連結部、５・・本体枠連結金具、６・・連結金具、７・・前枠、８・・中扉、９・・下側機能部、１０・・中扉連結金具、１１・・ミドル枠、１２・・供給皿、１３・・貯留皿、１５・・窓枠、１６・・ガラス枠、１７・・ランプ飾り、１８・・透光窓、１９・・挿通片、２０・・周囲部、２１・・ランプ窓、２２・・爪用孔、２３・・窓枠貫通孔、２４・・窓枠本体、２５・・上ランプ飾り、２６・・スピーカー、２７・・膨出部、２８・・スペーサ、２９ａ，２９ｂ・・窓枠側リブ、３０・・係止片、３１・・ランプ孔、３２ａ，３２ｂ・・側翼部、３３・・基板用リブ、３４・・挿通片係止孔、３５・・係止爪、３６・・ＬＥＤランプ、３７・・ランプ基板、３８・・係止孔、３９・・爪、４０・・レールリブ、４１・・ガラス保持片、４２・・ガラス挿入レール、４３・・小リブ、４５ａ，４５ｂ・・側リブ、４９・・ガラス板、５０・・回動部材。